(57)【特許請求の範囲】
【請求項１】
複数の通信方式を同時に用いて無線通信を行う機能を備えた無線通信装置であって、
各前記通信方式ごとに消費電力を取得する消費電力取得部と、
各前記通信方式ごとに通信速度を取得する通信速度取得部と、
前記消費電力取得部によって各前記通信方式ごとに取得された消費電力と、前記通信速度取得部によって各前記通信方式ごとに取得された通信速度とに基づいて、複数の前記通信方式を同時に用いた無線通信の通信効率を算出する通信効率算出部と、
前記通信効率算出部によって算出された通信効率が所定の閾値を超える場合には、複数の前記通信方式を同時に用いた無線通信を継続し、前記通信効率算出部によって算出された通信効率が前記閾値以下である場合には、複数の前記通信方式のうち少なくとも１つの通信方式の無線通信を用いた無線通信を継続するとともに、他の通信方式を用いた無線通信を切断する通信制御部と
を備えたことを特徴とする無線通信装置。
【請求項２】
前記通信制御部は、前記通信効率が前記閾値以下である場合に、複数の前記通信方式のうち最後に追加された通信方式を用いた無線通信を切断することを特徴とする請求項１に記載の無線通信装置。
【請求項３】
前記通信効率算出部は、前記消費電力及び前記通信速度に基づいて、複数の前記通信方式を同時に用いた無線通信の通信効率を算出するとともに、各前記通信方式を用いた無線通信の通信効率を算出し、
前記通信制御部は、複数の前記通信方式を同時に用いた無線通信の通信効率が前記閾値以下である場合に、複数の前記通信方式のうち、各前記通信方式を用いた無線通信の通信効率が最も低い通信方式を用いた無線通信を切断する
ことを特徴とする請求項１に記載の無線通信装置。
【請求項４】
複数の前記通信方式を同時に用いた無線通信により伝送されるデータが、該データの伝送に要求される所定の通信速度である要求通信速度を含む通信速度保証型データであるか否かを監視し、前記通信速度保証型データであると検知されたデータから前記要求通信速度を抽出するデータ監視部をさらに備え、
前記通信制御部は、前記通信効率が閾値以下である場合に、前記データ監視部によって複数の前記通信方式を同時に用いた無線通信により伝送されるデータが前記通信速度保証型データであることが検知されたなら、複数の前記通信方式のうち最後に追加された通信方式以外の通信方式を用いた無線通信の通信速度が前記要求通信速度を満たすか否かを判定し、満たすと判定された場合に、前記最後に追加された通信方式を用いた無線通信を切断することを特徴とする請求項１に記載の無線通信装置。
【請求項５】
当該携帯端末装置に搭載されたバッテリの残量であるバッテリ残量を取得するバッテリ残量取得部と、
前記バッテリ残量取得部によって取得されたバッテリ残量が低下するほど前記閾値が大きくなるように前記閾値を更新する閾値更新部と
をさらに備え、
前記通信制御部は、前記通信効率が前記閾値更新部によって更新された前記閾値以下である場合に、複数の前記通信方式のうち少なくとも１つの通信方式の無線通信を用いた無線通信を継続するとともに、他の通信方式を用いた無線通信を切断する
ことを特徴とする請求項１〜４のいずれか一つに記載の無線通信装置。
【請求項６】
各前記通信方式を用いた無線通信を行う無線通信部は、該無線通信に適用されるアンプの段数が異なる、切り替え可能な複数のアンプモードを有しており、
前記消費電力取得部は、各前記通信方式と各前記アンプモードとの組合せごとに消費電力を取得し、
前記通信速度取得部は、各前記通信方式と各前記アンプモードとの組合せごとに通信速度を取得し、
前記通信効率算出部は、各前記通信方式と各前記アンプモードとの組合せごとに取得された消費電力及び通信速度に基づいて、複数の前記通信方式を同時に用いた無線通信の通信効率を算出し、
前記通信制御部は、前記通信効率算出部によって算出された通信効率のうち通信速度が大きい前記アンプモードに対応する通信効率ほど優先して前記閾値との比較を行い、最も通信速度が小さい前記アンプモードに対応する通信効率が前記閾値以下である場合に、複数の前記通信方式のうち少なくとも１つの通信方式の無線通信を用いた無線通信を継続するとともに、他の通信方式を用いた無線通信を切断する
ことを特徴とする請求項１に記載の無線通信装置。
【請求項７】
各前記通信方式を用いた無線通信を行う無線通信部は、該無線通信に適用されるアンプの段数が異なる、切り替え可能な複数のアンプモードを有しており、
前記消費電力取得部は、各前記通信方式と各前記アンプモードとの組合せごとに消費電力を取得し、
前記通信速度取得部は、各前記通信方式と各前記アンプモードとの組合せごとに通信速度を取得し、
前記通信効率算出部は、各前記通信方式と各前記アンプモードとの組合せごとに取得された消費電力及び通信速度に基づいて、複数の前記通信方式を同時に用いた無線通信の通信効率を算出し、
前記通信制御部は、前記通信効率算出部によって算出された通信効率のうち最も大きい通信効率に対応するアンプモードを選択し、最も大きい通信効率と前記閾値との比較を行い、最も大きい通信効率が前記閾値以下である場合に、複数の前記通信方式のうち少なくとも１つの通信方式の無線通信を用いた無線通信を継続するとともに、他の通信方式を用いた無線通信を切断する
ことを特徴とする請求項１に記載の無線通信装置。
【請求項８】
複数の通信方式を用いて無線通信を行う機能を備えた無線通信装置による無線通信方法であって、
各前記通信方式ごとに消費電力を取得し、
各前記通信方式ごとに通信速度を取得し、
各前記通信方式ごとに取得された消費電力と、各前記通信方式ごとに取得された通信速度とに基づいて、複数の前記通信方式を同時に用いた無線通信の通信効率を算出し、
算出された通信効率が所定の閾値を超える場合には、複数の前記通信方式を同時に用いた無線通信を継続し、算出された通信効率が前記閾値以下である場合には、複数の前記通信方式のうち少なくとも１つの通信方式の無線通信を用いた無線通信を継続するとともに、他の通信方式を用いた無線通信を切断する
ことを含むことを特徴とする無線通信方法。
【発明の詳細な説明】
【技術分野】
【０００１】
本発明は、無線通信装置及び無線通信方法に関する。
【背景技術】
【０００２】
近年、無線通信において有線通信と同等の通信速度を実現するための技術として、リンクアグリゲーション（ＬＡ：Link Aggregation）の導入が検討されている。ＬＡでは、スマートフォンなどの無線通信装置が、ＬＴＥ（Long Term Evolution）通信規格やＷｉＦｉ（登録商標、Wireless Fidelity）通信規格などの複数の通信方式を同時に用いて無線通信を行う。
【０００３】
このようなＬＡでは、多くの通信方式を用いるほど、無線通信に係る通信速度を向上させることができる。ただし、より多くの通信方式が用いられるほど、無線通信に係る消費電力が増加してしまう。
【０００４】
これに対して、複数の通信方式の中から最も通信効率の良い通信方式を選択して無線通信に係る消費電力を節約する技術が検討されている。例えば、このような技術としては、通信方式ごとに消費電力及び通信速度を取得し、これら消費電力及び通信速度を基にビット当たりの消費電力量を通信効率として算出し、ビット当たりの消費電力量が最も小さい通信方式を選択する技術がある。
【先行技術文献】
【特許文献】
【０００５】
【特許文献１】特開２００９−８８９７６号公報
【特許文献２】特開２０１１−５５１２４号公報
【発明の概要】
【発明が解決しようとする課題】
【０００６】
しかしながら、上述した従来技術では、単にビット当たりの消費電力が最も小さい一つの通信方式を選択するだけである。すなわち、従来技術では、通信効率を考慮して複数の通信方式を同時に用いた通信制御を行うことは考慮されていない。結果として、従来技術では、消費電力の増加を抑えることができるものの、高い通信速度が得られないという問題があった。
【０００７】
開示の技術は、上記に鑑みてなされたものであって、通信速度を向上しつつ、消費電力の増加を抑えることができる無線通信装置及び無線通信方法を提供することを目的とする。
【課題を解決するための手段】
【０００８】
本願の開示する無線通信装置は、一つの態様において、複数の通信方式を同時に用いて無線通信を行う機能を備える。また、無線通信装置は、消費電力取得部と、通信速度取得部と、通信効率算出部と、通信制御部とを備える。消費電力取得部は、各前記通信方式ごとに消費電力を取得する。通信速度取得部は、各前記通信方式ごとに通信速度を取得する。通信効率算出部は、前記消費電力取得部によって各前記通信方式ごとに取得された消費電力と、前記通信速度取得部によって各前記通信方式ごとに取得された通信速度とに基づいて、複数の前記通信方式を同時に用いた無線通信の通信効率を算出する。通信制御部は、前記通信効率算出部によって算出された通信効率が所定の閾値を超える場合には、複数の前記通信方式を同時に用いた無線通信を継続する。通信制御部は、前記通信効率算出部によって算出された通信効率が前記閾値以下である場合には、複数の前記通信方式のうち任意の通信方式を用いた無線通信を切断する。
【発明の効果】
【０００９】
本願の開示する無線通信装置の一つの態様によれば、通信速度を維持しつつ、消費電力の増加を抑えることができるという効果を奏する。
【図面の簡単な説明】
【００１０】
【図１】図１は、実施例１に係る携帯電話機の構成を示す図である。
【図２】図２は、実施例１に係る携帯電話機による処理の流れを示すフローチャートである。
【図３】図３は、実施例２に係る携帯電話機の構成を示す図である。
【図４】図４は、実施例２に係る携帯電話機による処理の流れを示すフローチャートである。
【図５】図５は、実施例３に係る携帯電話機の構成を示す図である。
【図６】図６は、実施例３に係る携帯電話機による処理の流れを示すフローチャートである。
【図７】図７は、実施例４に係る携帯電話機の構成を示す図である。
【図８】図８は、バッテリ残量と閾値との対応関係を説明する説明図である。
【図９】図９は、実施例４に係る携帯電話機による処理の流れを示すフローチャートである。
【図１０】図１０は、実施例５に係る携帯電話機の構成を示す図である。
【図１１】図１１は、実施例５に係る携帯電話機による処理の流れを示すフローチャートである。
【図１２】図１２は、実施例６に係る携帯電話機の構成を示す図である。
【図１３】図１３は、実施例６に係る携帯電話機による処理の流れを示すフローチャートである。
【図１４】図１４は、実施例７に係る携帯電話機の構成を示す図である。
【図１５】図１５は、実施例７に係る携帯電話機による処理の流れを示すフローチャートである。
【発明を実施するための形態】
【００１１】
以下に、本願の開示する無線通信装置及び無線通信方法の実施例について、図面を参照しながら詳細に説明する。なお、この実施例により開示技術が限定されるものではない。例えば、以下の実施例では、無線通信装置の一例として携帯電話機を挙げて説明するが、これに限らず、複数の通信方式を同時に用いた無線通信機能を備えた無線通信装置であればよい。
【実施例１】
【００１２】
まず、実施例１に係る携帯電話機について説明する。図１は、実施例１に係る携帯電話機の構成を示す図である。図１に示すように、実施例１に係る携帯電話機１００は、ＬＴＥ無線通信部１１０、ＷｉＦｉ無線通信部１２０、無線制御部１３０、ＩＰパケット処理部１４０、アプリケーション処理部１５０及び主制御部１６０を有する。なお、ここでは、携帯電話機１００は、互いに異なる２つの通信方式を用いた無線通信部として、ＬＴＥ無線通信部１１０及びＷｉＦｉ無線通信部１２０を搭載することとしたが、２つ以上の複数の通信方式を用いた無線通信部を搭載しても良い。
【００１３】
ＬＴＥ無線通信部１１０は、ＬＴＥ通信規格に準拠してＬＴＥ用の基地局との間で各種データの無線通信を行う。具体的には、ＬＴＥ無線通信部１１０は、ＲＦ（Radio Frequency）部１１１と、ＬＴＥ無線処理部１１２とを有する。
【００１４】
ＲＦ部１１１は、Ｄ／Ａ（Digital/Analog）変換を行うとともに、ベースバンドから無線周波数へのアップコンバートを行い、アンプにより電力を増幅してアンテナ１１１ａから上りリンクの信号を送信する。また、ＲＦ部１１１は、アンテナ１１１ａから受信した下りリンクの信号に対して、無線周波数からベースバンドへのダウンコンバートを行うとともに、Ａ／Ｄ変換を行う。
【００１５】
ＬＴＥ無線処理部１１２は、ＩＰパケットデータに対する再送情報の付加、誤り訂正符号の付加及び多値変調を行い、上りリンクの信号を生成する。また、ＬＴＥ無線処理部１１２は、下りリンクの信号に対して、復調及び誤り訂正符号の復号等を行う。
【００１６】
ＷｉＦｉ無線通信部１２０は、ＷｉＦｉ通信規格に準拠してＷｉＦｉ用の基地局との間で各種データの無線通信を行う。具体的には、ＷｉＦｉ無線通信部１２０は、ＲＦ部１２１と、ＷｉＦｉ無線処理部１２２とを有する。
【００１７】
ＲＦ部１２１は、Ｄ／Ａ（Digital/Analog）変換を行うとともに、ベースバンドから無線周波数へのアップコンバートを行い、アンプにより電力を増幅してアンテナ１２１ａから上りリンクの信号を送信する。また、ＲＦ部１２１は、アンテナ１２１ａから受信した下りリンクの信号に対して、無線周波数からベースバンドへのダウンコンバートを行うとともに、Ａ／Ｄ変換を行う。
【００１８】
ＷｉＦｉ無線処理部１２２は、ＩＰパケットデータに対する再送情報の付加、誤り訂正符号の付加及び多値変調を行い、上りリンクの信号を生成する。また、ＷｉＦｉ無線処理部１２２は、下りリンクの信号に対して、復調及び誤り訂正符号の復号等を行う。
【００１９】
無線制御部１３０は、ＬＴＥ無線通信部１１０を制御することによって、ＬＴＥ用の基地局と接続し、ＬＴＥ通信規格に準拠してＬＴＥ用の基地局との間で各種データの無線通信の制御を実行する。また、無線制御部１３０は、ＷｉＦｉ無線通信部１２０を制御することによって、ＷｉＦｉ用の基地局と接続し、ＷｉＦｉ通信規格に準拠してＷｉＦｉ用の基地局との間で各種データの無線通信の制御を実行する。なお、無線制御部１３０は、ＬＴＥ通信規格に準拠してＬＴＥ用の基地局と接続した後に、ＷｉＦｉ通信規格に準拠してＷｉＦｉ用の基地局と追加接続するポリシーを予め保持するものとする。
【００２０】
また、無線制御部１３０は、後述する通信制御部１６４からの指示に従って、ＬＴＥ通信規格及びＷｉＦｉ通信規格を同時に用いた無線通信を実行する。例えば、無線制御部１３０は、送信データの順番を示すシーケンス番号をＩＰパケットデータに付加すると、シーケンス番号を付加したＩＰパケットをＬＴＥ無線通信部１１０及びＷｉＦｉ無線通信部１２０に振り分ける。また、例えば、無線制御部１３０は、シーケンス番号の付加されたＩＰパケットをＬＴＥ無線通信部１１０及びＷｉＦｉ無線通信部１２０から収集し、収集したＩＰパケットに付加されたシーケンス番号を基にＩＰパケットデータの順番を並び替える。
【００２１】
また、無線制御部１３０は、通信制御部１６４からの指示に従って、ＬＴＥ通信規格及びＷｉＦｉ通信規格のうち任意の通信規格による無線通信を切断して残りの通信規格による無線通信を実行する。例えば、無線制御部１３０は、ＷｉＦｉ通信規格による無線通信を切断した場合には、シーケンス番号を付加したＩＰパケットデータをＬＴＥ無線通信部１１０のみに振り分ける。また、例えば、無線制御部１３０は、シーケンス番号の付加されたＩＰパケットデータをＬＴＥ無線通信部１１０のみから収集し、収集したＩＰパケットデータに付加されたシーケンス番号を基にＩＰパケットデータの順番を並び替える。
【００２２】
ＩＰパケット処理部１４０は、無線制御部１３０から取得したＩＰパケットデータから宛先ＩＰアドレス情報を除去してアプリケーション処理部１５０に出力する。また、ＩＰパケット処理部１４０は、アプリケーション処理部１５０から取得したＩＰパケットデータに宛先ＩＰアドレス情報を付加して無線制御部１３０に出力する。
【００２３】
アプリケーション処理部１５０は、ＩＰパケット処理部１４０から取得したＩＰパケットデータを用いて、所定のアプリケーションを実行する。例えば、アプリケーション処理部１５０は、ＩＰパケットデータが動画データである場合には再生し、ＩＰパケットデータが画像データである場合にはディスプレイ等に表示させる。
【００２４】
主制御部１６０は、無線制御部１３０を制御することによって、ＬＴＥ通信規格及びＷｉＦｉ通信規格を同時に用いた無線通信（以下「同時無線通信」とも言う）の制御を実行する。主制御部１６０は、消費電力取得部１６１と、通信速度取得部１６２と、通信効率算出部１６３と、通信制御部１６４とを有する。
【００２５】
消費電力取得部１６１は、各通信規格による無線通信方式ごとに消費電力を取得する。具体的には、消費電力取得部１６１は、ＬＴＥ無線通信部１１０によってＬＴＥ通信規格に準拠して行われる無線通信の消費電力を取得する。そして、消費電力取得部１６１は、ＷｉＦｉ無線通信部１２０によってＷｉＦｉ通信規格に準拠して行われる無線通信の消費電力を取得する。なお、以下の説明では、ＬＴＥ無線通信部１１０によってＬＴＥ通信規格に準拠して行われる無線通信を、「ＬＴＥ通信規格を用いた無線通信」と呼ぶ。また、以下の説明では、ＷｉＦｉ無線通信部１２０によってＷｉＦｉ通信規格に準拠して行われる無線通信を、「ＷｉＦｉ通信規格を用いた無線通信」と呼ぶ。
【００２６】
通信速度取得部１６２は、各通信規格による無線通信方式ごとに通信速度を取得する。具体的には、通信速度取得部１６２は、ＬＴＥ通信規格を用いた無線通信の無線品質を測定し、無線品質と通信速度とを対応付けた内部テーブルを参照して、測定した無線品質に対応する通信速度を取得する。そして、通信速度取得部１６２は、ＷｉＦｉ通信規格を用いた無線通信の無線品質を測定し、内部テーブルを参照して、測定した無線品質に対応する通信速度を取得する。
【００２７】
通信効率算出部１６３は、各通信規格による無線通信方式ごとに取得された消費電力と、各通信規格による無線通信方式ごとに取得された通信速度とに基づいて、ＬＴＥ通信規格及びＷｉＦｉ通信規格を同時に用いた無線通信（同時無線通信）の通信効率を算出する。具体的には、通信効率算出部１６３は、ＬＴＥ通信規格を用いた無線通信の消費電力とＷｉＦｉ通信規格を用いた無線通信の消費電力とを消費電力取得部１６１から受け取る。そして、通信効率算出部１６３は、ＬＴＥ通信規格を用いた無線通信の通信速度とＷｉＦｉ通信規格を用いた無線通信の通信速度とを通信速度取得部１６２から受け取る。そして、通信効率算出部１６３は、ＬＴＥ通信規格を用いた無線通信の消費電力とＷｉＦｉ通信規格を用いた無線通信の消費電力とを合計して、同時無線通信の消費電力を算出する。そして、通信効率算出部１６３は、ＬＴＥ通信規格を用いた無線通信の通信速度とＷｉＦｉ通信規格を用いた無線通信の通信速度とを合計して、同時無線通信の通信速度を算出する。そして、通信効率算出部１６３は、同時無線通信の通信速度を同時無線通信の消費電力で除算して、同時無線通信の通信効率を算出する。
【００２８】
通信制御部１６４は、同時無線通信の通信効率を通信効率算出部１６３から受け取る。通信制御部１６４は、所定の閾値を内部に保持する。通信制御部１６４は、同時無線通信の通信効率が所定の閾値以下であるか否かを判定する。そして、通信制御部１６４は、同時無線通信の通信効率が閾値を超える場合には、ＬＴＥ通信規格及びＷｉＦｉ通信規格を同時に用いた無線通信を継続するように無線制御部１３０に対して指示する。一方、通信制御部１６４は、同時無線通信の通信効率が閾値以下である場合には、最後に追加されたＷｉＦｉ通信規格を用いた無線通信を切断するように無線制御部１３０に対して指示する。
【００２９】
ここで、ＬＴＥ通信規格及びＷｉＦｉ通信規格を同時に用いた無線通信の制御の具体例について説明する。まず、ＬＴＥ通信規格及びＷｉＦｉ通信規格を同時に用いた無線通信を継続する例について説明する。例えば、ＬＴＥ通信規格を用いた無線通信の通信速度及び消費電力が、それぞれ、１００［Ｍｂｐｓ］及び１［Ｗ］であり、ＷｉＦｉ通信規格を用いた無線通信の通信速度及び消費電力が、それぞれ、３０［Ｍｂｐｓ］及び０．２［Ｗ］である場合を想定する。
【００３０】
この場合、通信効率算出部１６３は、ＬＴＥ通信規格を用いた無線通信の消費電力とＷｉＦｉ通信規格を用いた無線通信の消費電力とを合計して、同時無線通信の消費電力として１．２［Ｗ］を算出する。そして、通信効率算出部１６３は、ＬＴＥ通信規格を用いた無線通信の通信速度とＷｉＦｉ通信規格を用いた無線通信の通信速度とを合計して、同時無線通信の通信速度として１３０［Ｍｂｐｓ］を算出する。そして、通信効率算出部１６３は、同時無線通信の通信速度を同時無線通信の消費電力で除算して、同時無線通信の通信効率として１０８［Ｍｂｐｓ／Ｗ］を算出する。
【００３１】
そして、通信制御部１６４は、同時無線通信の通信効率である１０８［Ｍｂｐｓ／Ｗ］が所定の閾値（例えば、５０［Ｍｂｐｓ／Ｗ］）を超えるため、ＬＴＥ通信規格及びＷｉＦｉ通信規格を同時に用いた無線通信を継続する。これにより、無線通信に係る通信速度が向上する。
【００３２】
続いて、ＬＴＥ通信規格及びＷｉＦｉ通信規格のうち最後に追加されたＷｉＦｉ通信規格を用いた無線通信を切断する例について説明する。例えば、ＬＴＥ通信規格を用いた無線通信の通信速度及び消費電力が、それぞれ、３０［Ｍｂｐｓ］及び０．２［Ｗ］であり、ＷｉＦｉ通信規格を用いた無線通信の通信速度及び消費電力が、それぞれ、１０［Ｍｂｐｓ］及び１［Ｗ］である場合を想定する。
【００３３】
この場合、通信効率算出部１６３は、ＬＴＥ通信規格を用いた無線通信の消費電力とＷｉＦｉ通信規格を用いた無線通信の消費電力とを合計して、同時無線通信の消費電力として１．２［Ｗ］を算出する。そして、通信効率算出部１６３は、ＬＴＥ通信規格を用いた無線通信の通信速度として４０［Ｍｂｐｓ］を算出する。そして、通信効率算出部１６３は、同時無線通信の通信速度を同時無線通信の消費電力で除算して、同時無線通信の通信効率として３３［Ｍｂｐｓ／Ｗ］を算出する。
【００３４】
そして、通信制御部１６４は、同時無線通信の通信効率である３３［Ｍｂｐｓ／Ｗ］が閾値である５０［Ｍｂｐｓ／Ｗ］以下であるため、ＬＴＥ通信規格及びＷｉＦｉ通信規格のうち最後に追加されたＷｉＦｉ通信規格を用いた無線通信を切断する。これにより、無線通信に係る消費電力の増加が抑えられる。
【００３５】
次に、実施例１に係る携帯電話機による処理の流れについて説明する。図２は、実施例１に係る携帯電話機による処理の流れを示すフローチャートである。図２に示すように、まず、携帯電話機１００の無線制御部１３０は、予め保持されたポリシーに従って、ＬＴＥ無線通信部１１０を制御することによって、ＬＴＥ用の基地局と接続する（ステップＳ１０１）。主制御部１６０の消費電力取得部１６１は、ＬＴＥ通信規格を用いた無線通信の消費電力を取得し、通信速度取得部１６２は、ＬＴＥ通信規格を用いた無線通信の通信速度を取得する（ステップＳ１０２）。
【００３６】
次いで、無線制御部１３０は、ＷｉＦｉ無線通信部１２０を制御することによって、ＷｉＦｉ用の基地局と接続する（ステップＳ１０３）。これにより、ＬＴＥ通信規格及びＷｉＦｉ通信規格を同時に用いた無線通信が開始される。主制御部１６０の消費電力取得部１６１は、ＷｉＦｉ通信規格を用いた無線通信の消費電力を取得し、通信速度取得部１６２は、ＷｉＦｉ通信規格を用いた無線通信の通信速度を取得する（ステップＳ１０４）。
【００３７】
通信効率算出部１６３は、各通信規格による無線通信方式ごとに取得された消費電力及び通信速度に基づいて、ＬＴＥ通信規格及びＷｉＦｉ通信規格を同時に用いた無線通信の通信効率を算出する（ステップＳ１０５）。
【００３８】
通信制御部１６４は、ＬＴＥ通信規格及びＷｉＦｉ通信規格を同時に用いた無線通信（同時無線通信）の通信効率が閾値以下であるか否かを判定する（ステップＳ１０６）。通信制御部１６４は、同時無線通信の通信効率が閾値を超える場合には（ステップＳ１０６；Ｎｏ）、ＬＴＥ通信規格及びＷｉＦｉ通信規格を同時に用いた無線通信を継続するように無線制御部１３０に対して指示する（ステップＳ１０７）。
【００３９】
一方、通信制御部１６４は、同時無線通信の通信効率が閾値以下である場合には（ステップＳ１０６；Ｙｅｓ）、最後に追加接続された、ＷｉＦｉ通信規格を用いた無線通信を切断するように無線制御部１３０に対して指示する（ステップＳ１０８）。
【００４０】
上述してきたように、実施例１に係る携帯電話機１００は、通信方式ごとに取得した消費電力及び通信速度に基づいて複数の通信方式を同時に用いた無線通信の通信効率を算出する。そして、携帯電話機１００は、複数の通信方式を同時に用いた無線通信の通信効率が閾値を超える場合に、複数の通信方式を同時に用いた無線通信を継続し、閾値以下である場合に、複数の通信方式のうち最後に追加された通信方式を用いた無線通信を切断する。これにより、実施例１に係る携帯電話機１００は、通信速度を向上しつつ、消費電力の増加を抑えることができる。
【実施例２】
【００４１】
次に、実施例２に係る携帯電話機について説明する。実施例２に係る携帯電話機は、実施例１に係る携帯電話機の通信効率算出部１６３及び通信制御部１６４に代えて通信効率算出部２６３及び通信制御部２６４がそれぞれ追加される点が異なる以外は実施例１と同様であるため、実施例１と重複する説明を省略する。
【００４２】
図３は、実施例２に係る携帯電話機の構成を示す図である。図３に示すように、実施例２に係る携帯電話機２００は、実施例１に係る携帯電話機１００の通信効率算出部１６３及び通信制御部１６４に代えて、それぞれ、通信効率算出部２６３及び通信制御部２６４を備える。
【００４３】
通信効率算出部２６３は、各通信規格による無線通信方式ごとに取得された消費電力及び通信速度に基づいて、ＬＴＥ通信規格及びＷｉＦｉ通信規格を同時に用いた無線通信（同時無線通信）の通信効率を算出する。これとともに、通信効率算出部２６３は、各通信規格による無線通信方式ごとに取得された消費電力及び通信速度に基づいて、ＬＴＥ通信規格及びＷｉＦｉ通信規格を個別に用いた無線通信の通信効率を算出する。具体的には、通信効率算出部２６３は、ＬＴＥ通信規格を用いた無線通信の消費電力とＷｉＦｉ通信規格を用いた無線通信の消費電力とを消費電力取得部１６１から受け取る。そして、通信効率算出部２６３は、ＬＴＥ通信規格を用いた無線通信の通信速度とＷｉＦｉ通信規格を用いた無線通信の通信速度とを通信速度取得部１６２から受け取る。そして、通信効率算出部２６３は、ＬＴＥ通信規格を用いた無線通信の通信速度をＬＴＥ通信規格を用いた無線通信の消費電力で除算して、ＬＴＥ通信規格を個別に用いた無線通信の通信効率を算出する。そして、通信効率算出部２６３は、ＷｉＦｉ通信規格を用いた無線通信の通信速度をＷｉＦｉ通信規格を用いた無線通信の消費電力で除算して、ＷｉＦｉ通信規格を個別に用いた無線通信の通信効率を算出する。
【００４４】
通信制御部２６４は、同時無線通信の通信効率を通信効率算出部２６３から受け取る。通信制御部２６４は、通信規格ごとに個別に算出された通信効率を通信効率算出部２６３から受け取る。通信制御部２６４は、所定の閾値を内部に保持する。通信制御部２６４は、同時無線通信の通信効率が所定の閾値以下であるか否かを判定し、同時無線通信の通信効率が閾値を超える場合には、ＬＴＥ通信規格及びＷｉＦｉ通信規格を同時に用いた無線通信を継続するように無線制御部１３０に対して指示する。一方、通信制御部２６４は、同時無線通信の通信効率が閾値以下である場合には、通信規格ごとに個別に算出された通信効率が最も低い通信規格を用いた無線通信を切断するように無線制御部１３０に対して指示する。例えば、通信制御部２６４は、通信規格Ａ、Ｂ及びＣのうち、通信規格Ｂを用いた無線通信の通信効率が最も低い場合には、通信規格Ｂを用いた無線通信を切断するように指示する。
【００４５】
次に、実施例２に係る携帯電話機による処理の流れについて説明する。図４は、実施例２に係る携帯電話機による処理の流れを示すフローチャートである。なお、図４におけるステップＳ２０１〜Ｓ２０５は、図２におけるステップＳ１０１〜Ｓ１０５と同様であるので、その詳細な説明を省略する。
【００４６】
通信効率算出部２６３は、各通信規格による無線通信方式ごとに取得された消費電力及び通信速度に基づいて、ＬＴＥ通信規格を用いた無線通信の通信効率及びＷｉＦｉ通信規格を用いた無線通信の通信効率を個別に算出する（ステップＳ２０６）。
【００４７】
通信制御部２６４は、ＬＴＥ通信規格及びＷｉＦｉ通信規格を同時に用いた無線通信（同時無線通信）の通信効率が閾値以下であるか否かを判定する（ステップＳ２０７）。通信制御部２６４は、同時無線通信の通信効率が閾値を超える場合には（ステップＳ２０７；Ｎｏ）、ＬＴＥ通信規格及びＷｉＦｉ通信規格を同時に用いた無線通信を継続するように無線制御部１３０に対して指示する（ステップＳ２０８）。
【００４８】
一方、通信制御部２６４は、同時無線通信の通信効率が閾値以下である場合には（ステップＳ２０７；Ｙｅｓ）、通信効率が最も低い通信規格を用いた無線通信を切断するように無線制御部１３０に対して指示する（ステップＳ２０９）。
【００４９】
上述してきたように、実施例２に係る携帯電話機２００は、複数の通信方式を同時に用いた無線通信の通信効率が閾値以下である場合に、複数の通信方式のうち、各通信方式を用いた無線通信の通信効率が最も低い通信方式を用いた無線通信を切断する。これにより、実施例２に係る携帯電話機２００は、複数の通信方式のうち任意の通信方式を用いた無線通信を切断する際に、通信速度の低下を最小限に抑えつつ、消費電力の削減を図ることができる。
【実施例３】
【００５０】
次に、実施例３に係る携帯電話機について説明する。実施例３に係る携帯電話機は、実施例１に係る携帯電話機にデータ監視部３６５が追加され、通信制御部１６４に代えて通信制御部３６４が追加される点が異なる以外は実施例１と同様であるため、実施例１と重複する説明を省略する。
【００５１】
図５は、実施例３に係る携帯電話機の構成を示す図である。図５に示すように、実施例３に係る携帯電話機３００は、実施例１に係る携帯電話機１００の各ブロックに加えて、データ監視部３６５を備える。また、実施例３に係る携帯電話機３００は、実施例１に係る携帯電話機１００の通信制御部１６４に代えて、通信制御部３６４を備える。
【００５２】
データ監視部３６５は、ＬＴＥ通信規格及びＷｉＦｉ通信規格を同時に用いた無線通信により伝送されるデータが、該データのリアルタイム伝送に要求される所定の通信速度である要求通信速度を含む通信速度保証型データであるか否かを監視する。なお、通信速度保証型データには、ゲームなどの動画像の再生に用いられる動画データや、音声通話に用いられるパケットデータであるＶｏＩＰ（Voice over Internet Protocol）データなどが含まれる。
【００５３】
また、データ監視部３６５は、通信速度保証型データであると検知されたデータから要求通信速度を抽出して通信制御部３６４に出力する。
【００５４】
通信制御部３６４は、同時無線通信の通信効率を通信効率算出部１６３から受け取る。通信制御部３６４は、要求通信速度をデータ監視部３６５から受け取る。通信制御部３６４は、所定の閾値を内部に保持する。通信制御部３６４は、同時無線通信の通信効率が所定の閾値以下であるか否かを判定する。そして、通信制御部３６４は、同時無線通信の通信効率が閾値を超える場合には、ＬＴＥ通信規格及びＷｉＦｉ通信規格を同時に用いた無線通信を継続するように無線制御部１３０に対して指示する。
【００５５】
一方、通信制御部３６４は、同時無線通信の通信効率が閾値以下である場合に、データ監視部３６５によって同時無線通信により伝送されるデータが通信速度保証型データであることが検知されたなら、以下の処理を行う。すなわち、通信制御部３６４は、複数の通信方式のうち最後に追加された通信方式以外の通信方式を用いた無線通信の通信速度が要求通信速度を満たすか否かを判定する。例えば、通信制御部３６４は、最後に追加されたＷｉＦｉ通信規格以外のＬＴＥ通信規格を用いた無線通信の通信速度が要求通信速度を満たすか否かを判定する。通信制御部３６４は、ＬＴＥ通信規格を用いた無線通信の通信速度が要求通信速度を満たさない場合には、ＬＴＥ通信規格及びＷｉＦｉ通信規格を同時に用いた無線通信を継続するように無線制御部１３０に対して指示する。一方、通信制御部３６４は、ＬＴＥ通信規格を用いた無線通信の通信速度が要求通信速度を満たす場合には、最後に追加されたＷｉＦｉ通信規格を用いた無線通信を切断するように無線制御部１３０に対して指示する。
【００５６】
なお、通信制御部３６４は、同時無線通信の通信効率が閾値以下である場合に、データ監視部３６５によって同時無線通により伝送されるデータが通信速度保証型データでないことが検知されたなら、以下の処理を行う。すなわち、通信制御部３６４は、最後に追加されたＷｉＦｉ通信規格を用いた無線通信を切断するように無線制御部１３０に対して指示する。
【００５７】
次に、実施例３に係る携帯電話機による処理の流れについて説明する。図６は、実施例３に係る携帯電話機による処理の流れを示すフローチャートである。なお、図６におけるステップＳ３０１〜Ｓ３０５は、図３におけるステップＳ１０１〜Ｓ１０５と同様であるので、その詳細な説明を省略する。
【００５８】
通信制御部３６４は、ＬＴＥ通信規格及びＷｉＦｉ通信規格を同時に用いた無線通信（同時無線通信）の通信効率が閾値以下であるか否かを判定する（ステップＳ３０６）。通信制御部３６４は、同時無線通信の通信効率が閾値を超える場合には（ステップＳ３０６；Ｎｏ）、ＬＴＥ通信規格及びＷｉＦｉ通信規格を同時に用いた無線通信を継続するように無線制御部１３０に対して指示する（ステップＳ３０７）。
【００５９】
通信制御部３６４は、同時無線通信の通信効率が閾値以下である場合には（ステップＳ３０６；Ｙｅｓ）、同時無線通信により伝送されるデータが通信速度保証型データである旨の検知結果をデータ監視部３６５から受信したか否かを判定する（ステップＳ３０８）。
【００６０】
通信制御部３６４は、通信速度保証型データである旨の検知結果を受信した場合には（ステップＳ３０８；Ｙｅｓ）、ＬＴＥ通信規格を用いた無線通信の通信速度が要求通信速度を満たすか否かを判定する（ステップＳ３０９）。通信制御部３６４は、ＬＴＥ通信規格を用いた無線通信の通信速度が要求通信速度を満たさない場合には（ステップＳ３０９；Ｎｏ）、処理をステップＳ３０７に進める。
【００６１】
通信制御部３６４は、通信速度保証型データである旨の検知結果を受信しなかった場合（ステップＳ３０８；Ｎｏ）、又は、ＬＴＥ通信規格を用いた無線通信の通信速度が要求通信速度を満たす場合（ステップＳ３０９；Ｙｅｓ）、以下の処理を行う。すなわち、通信制御部３６４は、ＷｉＦｉ通信規格を用いた無線通信を切断するように無線制御部１３０に対して指示する（ステップＳ３１０）。
【００６２】
上述してきたように、実施例３に係る携帯電話機３００は、ＬＴＥ通信規格及びＷｉＦｉ通信規格を同時に用いた無線通信の通信効率が閾値以下である場合に、伝送されるデータが通信速度保証型データであるか否かを監視する。そして、携帯電話機３００は、伝送されるデータが通信速度保証型データであることが検知されたなら、最後に追加されたＷｉＦｉ通信規格以外のＬＴＥ通信規格を用いた無線通信の通信速度が要求通信速度を満たすか否かを判定する。そして、携帯電話機３００は、ＬＴＥ通信規格を用いた無線通信の通信速度が要求通信速度を満たす場合に、最後に追加されたＷｉＦｉ通信規格を用いた無線通信を切断する。一方、携帯電話機３００は、ＬＴＥ通信規格を用いた無線通信の通信速度が要求通信速度を満たさない場合には、ＬＴＥ通信規格及びＷｉＦｉ通信規格を同時に用いた無線通信を継続する。これにより、実施例３に係る携帯電話機３００は、所定の通信速度が要求される通信速度保証型データの通信速度の確保を優先しつつ、消費電力の増加を抑えることができる。
【実施例４】
【００６３】
次に、実施例４に係る携帯電話機について説明する。実施例４に係る携帯電話機は、実施例１に係る携帯電話機にバッテリ残量取得部４６５及び閾値更新部４６６が追加され、通信制御部１６４に代えて通信制御部４６４が追加される点が異なる以外は実施例１と同様であるため、実施例１と重複する説明を省略する。
【００６４】
図７は、実施例４に係る携帯電話機の構成を示す図である。図７に示すように、実施例４に係る携帯電話機４００は、実施例１に係る携帯電話機１００の各ブロックに加えて、バッテリ残量取得部４６５及び閾値更新部４６６を備える。また、実施例４に係る携帯電話機４００は、実施例１に係る携帯電話機１００の通信制御部１６４に代えて、通信制御部４６４を備える。
【００６５】
バッテリ残量取得部４６５は、携帯電話機４００に搭載されたバッテリの残量であるバッテリ残量を取得する。バッテリ残量取得部４６５は、取得したバッテリ残量を閾値更新部４６６に出力する。
【００６６】
閾値更新部４６６は、バッテリ残量をバッテリ残量取得部４６５から受け付ける。閾値更新部４６６は、バッテリ残量が低下するほど、通信制御部４６４に保持された閾値が大きくなるように、通信制御部４６４に保持された閾値を更新する。
【００６７】
図８は、バッテリ残量と閾値との対応関係を説明する説明図である。図８において、横軸は、バッテリ残量Ｘ［％］を表し、縦軸は、通信制御部４６４に保持された閾値Ｆ（Ｘ）［ｂｐｓ／Ｗ］を表す。図８に示すように、通信制御部４６４に保持された閾値Ｆ（Ｘ）は、バッテリ残量Ｘが低下するほど、大きくなる。
【００６８】
通信制御部４６４は、同時無線通信の通信効率を通信効率算出部１６３から受け取る。通信制御部４６４は、閾値更新部４６６によって動的に更新される閾値を内部に保持する。通信制御部４６４は、同時無線通信の通信効率が、通信制御部４６４によって更新された閾値以下であるか否かを判定する。そして、通信制御部４６４は、同時無線通信の通信効率が、閾値更新部４６６によって更新された閾値を超える場合には、ＬＴＥ通信規格及びＷｉＦｉ通信規格を同時に用いた無線通信を継続するように無線制御部１３０に対して指示する。
【００６９】
一方、通信制御部４６４は、同時無線通信の通信効率が、閾値更新部４６６によって更新された閾値以下である場合には、最後に追加されたＷｉＦｉ通信規格を用いた無線通信を切断するように無線制御部１３０に対して指示する。
【００７０】
次に、実施例４に係る携帯電話機による処理の流れについて説明する。図９は、実施例４に係る携帯電話機による処理の流れを示すフローチャートである。なお、図９におけるステップＳ４０１〜Ｓ４０５は、図２におけるステップＳ１０１〜Ｓ１０５と同様であるので、その詳細な説明は省略する。
【００７１】
閾値更新部４６６は、携帯電話機４００が充電中であるか否かを判定する（ステップＳ４０６）。閾値更新部４６６は、携帯電話機４００が充電中である場合には（ステップＳ４０６；Ｙｅｓ）、通信制御部４６４に保持された閾値を「０」に更新し（ステップＳ４０７）、処理をステップＳ４１０に進める。
【００７２】
一方、携帯電話機４００が充電中でない場合には（ステップＳ４０６；Ｎｏ）、バッテリ残量取得部４６５は、バッテリ残量を取得して閾値更新部４６６に出力する（ステップＳ４０８）。閾値更新部４６６は、バッテリ残量が低下するほど、通信制御部４６４に保持された閾値が大きくなるように、閾値を更新する（ステップＳ４０９）。
【００７３】
通信制御部４６４は、ＬＴＥ通信規格及びＷｉＦｉ通信規格を同時に用いた無線通信（同時無線通信）の通信効率が閾値以下であるか否かを判定する（ステップＳ４１０）。通信制御部４６４は、同時無線通信の通信効率が閾値を超える場合には（ステップＳ４１０；Ｎｏ）、ＬＴＥ通信規格及びＷｉＦｉ通信規格を同時に用いた無線通信を継続するように無線制御部１３０に対して指示する（ステップＳ４１１）。
【００７４】
通信制御部４６４は、同時無線通信の通信効率が閾値以下である場合には（ステップＳ４１０；Ｙｅｓ）、最後に追加接続された、ＷｉＦｉ通信規格を用いた無線通信を切断するように無線制御部１３０に対して指示する（ステップＳ４１２）。
【００７５】
上述してきたように、実施例４に係る携帯電話機４００は、バッテリ残量が低下するほど閾値が大きくなるように閾値を動的に更新する。そして、携帯電話機４００は、複数の通信方式を同時に用いた無線通信の通信効率が更新後の閾値以下である場合に、複数の通信方式のうち最後に追加された通信方式を用いた無線通信を切断する。これにより、実施例４に係る携帯電話機４００は、バッテリ残量が低下するほど消費電力の増加を効率的に抑えることができる。
【実施例５】
【００７６】
次に、実施例５に係る携帯電話機について説明する。実施例５に係る携帯電話機は、実施例１に係る携帯電話機の主制御部１６０に代えて主制御部５６０が追加され、ＲＦ部１１１、１２１に複数のアンプが搭載される点が異なる以外は実施例１と同様であるため、実施例１と重複する説明を省略する。
【００７７】
図１０は、実施例５に係る携帯電話機の構成を示す図である。図１０に示すように、実施例５に係る携帯電話機５００は、実施例１に係る携帯電話機１００の主制御部１６０に代えて、主制御部５６０を備える。
【００７８】
また、ＬＴＥ無線通信部１１０のＲＦ部１１１及びＷｉＦｉ無線通信部１２０のＲＦ部１２１には、複数のアンプが搭載される。言い換えると、ＬＴＥ無線通信部１１０及びＷｉＦｉ無線通信部１２０は、無線通信に適用されるアンプの段数が異なる、切り替え可能な複数のアンプモードを有する。本実施例では、ＬＴＥ無線通信部１１０及びＷｉＦｉ無線通信部１２０は、アンプの段数が２段であるアンプモードＨと、アンプの段数が１段であるアンプモードＬとの２つのアンプモードを有するものとする。
【００７９】
主制御部５６０は、消費電力取得部５６１と、通信速度取得部５６２と、通信効率算出部５６３と、通信制御部５６４と、アンプモード設定部５６５とを有する。
【００８０】
消費電力取得部５６１は、各通信規格による無線通信方式と各アンプモードとの組合せごとに消費電力を取得する。具体的には、消費電力取得部５６１は、ＬＴＥ通信規格を用いた無線通信の消費電力をアンプモードごとに取得する。そして、消費電力取得部５６１は、ＷｉＦｉ通信規格を用いた無線通信の消費電力をアンプモードごとに取得する。
【００８１】
通信速度取得部５６２は、各通信規格による無線通信方式と各アンプモードとの組合せごとに通信速度を取得する。具体的には、通信速度取得部５６２は、ＬＴＥ通信規格を用いた無線通信の通信速度をアンプモードごとに取得する。そして、通信速度取得部５６２は、ＷｉＦｉ通信規格を用いた無線通信の通信速度をアンプモードごとに取得する。
【００８２】
通信効率算出部５６３は、各通信規格による無線通信方式と各アンプモードとの組合せごとに取得された消費電力及び通信速度に基づいて、ＬＴＥ通信規格及びＷｉＦｉ通信規格を同時に用いた無線通信（同時無線通信）の通信効率を算出する。具体的には、通信効率算出部５６３は、ＬＴＥ通信規格を用いた無線通信の消費電力とＷｉＦｉ通信規格を用いた無線通信の消費電力とをアンプモードごとに消費電力取得部５６１から受け取る。そして、通信効率算出部５６３は、ＬＴＥ通信規格を用いた無線通信の通信速度とＷｉＦｉ通信規格を用いた無線通信の通信速度とをアンプモードごとに通信速度取得部５６２から受け取る。そして、通信効率算出部５６３は、ＬＴＥ通信規格を用いた無線通信の消費電力とＷｉＦｉ通信規格を用いた無線通信の消費電力とを合計して、同時無線通信の消費電力をアンプモードごとに算出する。そして、通信効率算出部５６３は、ＬＴＥ通信規格を用いた無線通信の通信速度とＷｉＦｉ通信規格を用いた無線通信の通信速度とを合計して、同時無線通信の通信速度をアンプモードごとに算出する。そして、通信効率算出部５６３は、同時無線通信の通信速度を同時無線通信の消費電力で除算して、同時無線通信の通信効率をアンプモードごとに算出する。
【００８３】
通信制御部５６４は、通信効率算出部５６３によって算出された通信効率のうち通信速度が大きいアンプモードに対応する通信効率ほど優先して閾値との比較を行う。そして、通信制御部５６４は、最も通信速度が小さいアンプモードに対応する通信効率が閾値以下である場合に、最後に追加されたＷｉＦｉ通信規格を用いた無線通信を切断するように無線制御部１３０に対して指示する。
【００８４】
また、通信制御部５６４は、アンプモード設定部５６５を制御して、ＬＴＥ無線通信部１１０及びＷｉＦｉ無線通信部１２０のアンプモードを切り替える制御を行う。
【００８５】
アンプモード設定部５６５は、通信制御部５６４の制御に従って、ＬＴＥ無線通信部１１０及びＷｉＦｉ無線通信部１２０のアンプモードをアンプモードＨ又はアンプモードＬに切り替える設定を行う。
【００８６】
次に、実施例５に係る携帯電話機による処理の流れについて説明する。図１１は、実施例５に係る携帯電話機による処理の流れを示すフローチャートである。図１１に示すように、まず、携帯電話機５００の無線制御部１３０は、予め保持されたポリシーに従って、ＬＴＥ無線通信部１１０を制御することによって、ＬＴＥ用の基地局と接続する（ステップＳ５０１）。主制御部５６０の消費電力取得部５６１は、ＬＴＥ通信規格を用いた無線通信の消費電力を取得し、通信速度取得部５６２は、ＬＴＥ通信規格を用いた無線通信の通信速度を取得する（ステップＳ５０２）。なお、消費電力取得部５６１及び通信速度取得部５６２は、それぞれ、アンプモードをデフォルトのアンプモードに設定して、消費電力及び通信速度を取得する。
【００８７】
次いで、無線制御部１３０は、ＷｉＦｉ無線通信部１２０を制御することによって、ＷｉＦｉ用の基地局と接続する（ステップＳ５０３）。これにより、ＬＴＥ通信規格及びＷｉＦｉ通信規格を同時に用いた無線通信が開始される。主制御部５６０の消費電力取得部５６１は、ＷｉＦｉ通信規格を用いた無線通信の消費電力をアンプモードごとに取得し、通信速度取得部５６２は、ＷｉＦｉ通信規格を用いた無線通信の通信速度をアンプモードごとに取得する（ステップＳ５０４）。
【００８８】
通信制御部５６４は、アンプモード設定部５６５を制御して、通信速度が相対的に大きいアンプモードＨを設定する（ステップＳ５０５）。通信効率算出部５６３は、各通信規格による無線通信方式とアンプモードＨとの組合せごとに取得された消費電力及び通信速度に基づいて、ＬＴＥ通信規格及びＷｉＦｉ通信規格を同時に用いた無線通信の通信効率を算出する（ステップＳ５０６）。
【００８９】
通信制御部５６４は、ＬＴＥ通信規格及びＷｉＦｉ通信規格を同時に用いた無線通信（同時無線通信）の通信効率が閾値以下であるか否かを判定する（ステップＳ５０７）。通信制御部５６４は、同時無線通信の通信効率が閾値を超える場合には（ステップＳ５０７；Ｎｏ）、処理をステップＳ５１１に進める。
【００９０】
一方、通信制御部５６４は、同時無線通信の通信効率が閾値以下である場合には（ステップＳ５０７；Ｙｅｓ）、アンプモード設定部５６５を制御して、通信速度が相対的に小さいアンプモードＬを設定する（ステップＳ５０８）。通信効率算出部５６３は、各通信規格による無線通信方式とアンプモードＬとの組合せごとに取得された消費電力及び通信速度に基づいて、ＬＴＥ通信規格及びＷｉＦｉ通信規格を同時に用いた無線通信の通信効率を算出する（ステップＳ５０９）。
【００９１】
通信制御部５６４は、ＬＴＥ通信規格及びＷｉＦｉ通信規格を同時に用いた無線通信（同時無線通信）の通信効率が閾値以下であるか否かを判定する（ステップＳ５１０）。通信制御部５６４は、同時無線通信の通信効率が閾値を超える場合には（ステップＳ５１０；Ｎｏ）、ＬＴＥ通信規格及びＷｉＦｉ通信規格を同時に用いた無線通信を継続するように無線制御部１３０に対して指示する（ステップＳ５１１）。
【００９２】
一方、通信制御部５６４は、同時無線通信の通信効率が閾値以下である場合には（ステップＳ５１０；Ｙｅｓ）、最後に追加接続された、ＷｉＦｉ通信規格を用いた無線通信を切断するように無線制御部１３０に対して指示する（ステップＳ５１２）。
【００９３】
上述してきたように、実施例５に係る携帯電話機５００は、通信速度が大きいアンプモードに対応する通信効率ほど優先して閾値との比較を行う。そして、携帯電話機５００は、最も通信速度が小さいアンプモードに対応する通信効率が閾値以下である場合に、複数の通信方式のうち最後に追加された通信方式を用いた無線通信を切断する。これにより、実施例５に係る携帯電話機５００は、最適なアンプモードを設定しつつ、通信速度の向上及び消費電力の抑制を実現することができる。
【実施例６】
【００９４】
次に、実施例６に係る携帯電話機について説明する。実施例６に係る携帯電話機は、実施例５に係る携帯電話機の通信制御部５６４に代えて、通信制御部６６４が追加される点が異なる以外は実施例１と同様であるため、実施例１と重複する説明を省略する。
【００９５】
図１２は、実施例６に係る携帯電話機の構成を示す図である。図１２に示すように、実施例６に係る携帯電話機６００は、実施例５に係る携帯電話機５００の通信制御部５６４に代えて、通信制御部６６４を備える。
【００９６】
通信制御部６６４は、通信効率算出部５６３によって算出された通信効率のうち最も大きい通信効率に対応するアンプモードを選択し、最も大きい通信効率と閾値との比較を行う。そして、通信制御部６６４は、最も大きい通信効率が閾値以下である場合に、最後に追加されたＷｉＦｉ通信規格を用いた無線通信を切断するように無線制御部１３０に対して指示する。
【００９７】
次に、実施例６に係る携帯電話機による処理の流れについて説明する。図１３は、実施例６に係る携帯電話機による処理の流れを示すフローチャートである。図１３に示すように、まず、携帯電話機６００の無線制御部１３０は、予め保持されたポリシーに従って、ＬＴＥ無線通信部１１０を制御することによって、ＬＴＥ用の基地局と接続する（ステップＳ６０１）。主制御部６６０の消費電力取得部５６１は、ＬＴＥ通信規格を用いた無線通信の消費電力をアンプモードごとに取得し、通信速度取得部５６２は、ＬＴＥ通信規格を用いた無線通信の通信速度をアンプモードごとに取得する（ステップＳ６０２）。
【００９８】
次いで、無線制御部１３０は、ＷｉＦｉ無線通信部１２０を制御することによって、ＷｉＦｉ用の基地局と接続する（ステップＳ６０３）。これにより、ＬＴＥ通信規格及びＷｉＦｉ通信規格を同時に用いた無線通信が開始される。主制御部６６０の消費電力取得部５６１は、ＷｉＦｉ通信規格を用いた無線通信の消費電力をアンプモードごとに取得し、ＷｉＦｉ通信規格を用いた無線通信の通信速度をアンプモードごとに取得する（ステップＳ６０４）。
【００９９】
通信効率算出部５６３は、各通信規格による無線通信方式と各アンプモードとの組合せごとに取得された消費電力及び通信速度とに基づいて、ＬＴＥ通信規格及びＷｉＦｉ通信規格を同時に用いた無線通信の通信効率を算出する（ステップＳ６０５）。
【０１００】
通信制御部６６４は、通信効率算出部５６３によって算出された通信効率のうち最も大きい通信効率に対応するアンプモードを選択し、アンプモード設定部５６５を制御して、通信効率が最も大きいアンプモードを設定する（ステップＳ６０６）。
【０１０１】
通信制御部６６４は、ＬＴＥ通信規格及びＷｉＦｉ通信規格を同時に用いた無線通信（同時無線通信）の通信効率が閾値以下であるか否かを判定する（ステップＳ６０７）。通信制御部６６４は、同時無線通信の通信効率が閾値を超える場合には（ステップＳ６０７；Ｎｏ）、ＬＴＥ通信規格及びＷｉＦｉ通信規格を同時に用いた無線通信を継続するように無線制御部１３０に対して指示する（ステップＳ６０８）。
【０１０２】
一方、通信制御部６６４は、同時無線通信の通信効率が閾値以下である場合には（ステップＳ６０７；Ｙｅｓ）、最後に追加接続された、ＷｉＦｉ通信規格を用いた無線通信を切断するように無線制御部１３０に対して指示する（ステップＳ６０９）。
【０１０３】
上述してきたように、実施例６に係る携帯電話機６００は、最も大きい通信効率に対応するアンプモードを選択し、最も大きい通信効率と閾値との比較を行う。そして、携帯電話機６００は、最も大きい通信効率が閾値以下である場合に、複数の通信方式のうち最後に追加された通信方式を用いた無線通信を切断する。これにより、実施例６に係る携帯電話機６００は、最適なアンプモードを設定しつつ、通信速度の向上及び消費電力の抑制を実現することができる。
【実施例７】
【０１０４】
次に、実施例７に係る携帯電話機について説明する。実施例７に係る携帯電話機は、実施例１に係る携帯電話機の通信効率算出部１６３及び通信制御部１６４に代えて通信効率算出部７６３及び通信制御部７６４がそれぞれ追加される点が異なる以外は実施例１と同様であるため、実施例１と重複する説明を省略する。
【０１０５】
図１４は、実施例７に係る携帯電話機の構成を示す図である。図１４に示すように、実施例７に係る携帯電話機７００は、実施例１に係る携帯電話機１００の通信効率算出部１６３及び通信制御部１６４に代えて、それぞれ、通信効率算出部７６３及び通信制御部７６４を備える。
【０１０６】
通信効率算出部７６３は、各通信規格による無線通信方式ごとに取得された消費電力及び通信速度に基づいて、ＬＴＥ通信規格及びＷｉＦｉ通信規格を個別に用いた無線通信の通信効率を算出する。具体的には、通信効率算出部７６３は、ＬＴＥ通信規格を用いた無線通信の消費電力とＷｉＦｉ通信規格を用いた無線通信の消費電力とを消費電力取得部１６１から受け取る。そして、通信効率算出部７６３は、ＬＴＥ通信規格を用いた無線通信の通信速度とＷｉＦｉ通信規格を用いた無線通信の通信速度とを通信速度取得部１６２から受け取る。そして、通信効率算出部７６３は、ＬＴＥ通信規格を用いた無線通信の通信速度をＬＴＥ通信規格を用いた無線通信の消費電力で除算して、ＬＴＥ通信規格を個別に用いた無線通信の通信効率を算出する。そして、通信効率算出部７６３は、ＬＴＥ通信規格とＷｉＦｉ通信規格を同時に用いた無線通信の通信速度をＬＴＥ通信規格とＷｉＦｉ通信規格を同時に用いた無線通信の消費電力で除算して、ＬＴＥ通信規格とＷｉＦｉ通信規格を同時に用いた無線通信の通信効率を算出する。
【０１０７】
通信制御部７６４は、通信規格ごとに個別に算出された通信効率を通信効率算出部７６３から受け取る。通信制御部７６４は、ＬＴＥ通信規格とＷｉＦｉ通信規格を同時に用いた無線通信の通信効率が、ＬＴＥ通信規格を用いた無線通信の通信効率よりも大きいか否かを判定する。通信制御部７６４は、ＬＴＥ通信規格とＷｉＦｉ通信規格を同時に用いた無線通信の通信効率が、ＬＴＥ通信規格を用いた無線通信の通信効率よりも大きい場合には、ＬＴＥ通信規格及びＷｉＦｉ通信規格を同時に用いた無線通信を継続するように無線制御部１３０に対して指示する。一方、通信制御部７６４は、ＬＴＥ通信規格とＷｉＦｉ通信規格を同時に用いた無線通信の通信効率が、ＬＴＥ通信規格を用いた無線通信の通信効率以下である場合には、最後に追加されたＷｉＦｉ通信規格を用いた無線通信を切断するように無線制御部１３０に対して指示する。
【０１０８】
次に、実施例７に係る携帯電話機による処理の流れについて説明する。図１５は、実施例７に係る携帯電話機による処理の流れを示すフローチャートである。なお、図１５におけるステップＳ７０１〜Ｓ７０４は、図２におけるステップＳ１０１〜Ｓ１０４と同様であるので、その詳細な説明を省略する。
【０１０９】
通信効率算出部７６３は、各通信規格による無線通信方式ごとに取得された消費電力及び通信速度に基づいて、ＬＴＥ通信規格を用いた無線通信の通信効率及びＬＴＥ通信規格とＷｉＦｉ通信規格を同時に用いた無線通信の通信効率を個別に算出する（ステップＳ７０５）。
【０１１０】
通信制御部７６４は、ＬＴＥ通信規格とＷｉＦｉ通信規格を同時に用いた無線通信の通信効率が、ＬＴＥ通信規格を用いた無線通信の通信効率よりも大きいか否かを判定する（ステップＳ７０６）。通信制御部７６４は、ＬＴＥ通信規格とＷｉＦｉ通信規格を同時に用いた無線通信の通信効率が、ＬＴＥ通信規格を用いた無線通信の通信効率よりも大きい場合には（ステップＳ７０６；Ｙｅｓ）、以下の処理を行う。すなわち、通信制御部７６４は、ＬＴＥ通信規格及びＷｉＦｉ通信規格を同時に用いた無線通信を継続するように無線制御部１３０に対して指示する（ステップＳ７０７）。
【０１１１】
一方、通信制御部７６４は、ＬＴＥ通信規格とＷｉＦｉ通信規格を同時に用いた無線通信の通信効率が、ＬＴＥ通信規格を用いた無線通信の通信効率以下である場合には（ステップＳ７０６；Ｎｏ）、以下の処理を行う。すなわち、通信制御部７６４は、最後に追加接続されたＷｉＦｉ通信規格を用いた無線通信を切断するように無線制御部１３０に対して指示する（ステップＳ７０８）。
【０１１２】
上述してきたように、実施例７に係る携帯電話機７００は、新規に追加接続された通信方式を用いた無線通信の通信効率が、既に接続された通信方式を用いた無線通信の通信効率以下である場合に、最後に追加された通信方式を用いた無線通信を切断する。これにより、実施例７に係る携帯電話機７００は、閾値判定を行うことなく通信効率の悪い無線通信を切断することができ、閾値を保持するメモリを不要化しつつ、消費電力の削減を図ることができる。
【符号の説明】
【０１１３】
１００、２００、３００、４００、５００、６００、７００  携帯電話機
１１０  ＬＴＥ無線通信部
１１１  ＲＦ部
１１１ａ  アンテナ
１１２  ＬＴＥ無線処理部
１２０  ＷｉＦｉ無線通信部
１２１  ＲＦ部
１２１ａ  アンテナ
１２２  ＷｉＦｉ無線処理部
１３０  無線制御部
１４０  ＩＰパケット処理部
１５０  アプリケーション処理部
１６０、２６０、３６０、４６０、５６０、６６０、７６０  主制御部
１６１、５６１  消費電力取得部
１６２、５６２  通信速度取得部
１６３、２６３、５６３、７６３  通信効率算出部
１６４、２６４、３６４、４６４、５６４、６６４、７６４  通信制御部
３６５  データ監視部
４６５  バッテリ残量取得部
４６６  閾値更新部
５６５  アンプモード設定部
【図１】
0005794150.tif 000002
【図２】
0005794150.tif 000003
【図３】
0005794150.tif 000004
【図４】
0005794150.tif 000005
【図５】
0005794150.tif 000006
【図６】
0005794150.tif 000007
【図７】
0005794150.tif 000008
【図８】
0005794150.tif 000009
【図９】
0005794150.tif 000010
【図１０】
0005794150.tif 000011
【図１１】
0005794150.tif 000012
【図１２】
0005794150.tif 000013
【図１３】
0005794150.tif 000014
【図１４】
0005794150.tif 000015
【図１５】
0005794150.tif 000016